(57)【要約】【課題】端子でのケーブルの半田を堅固かつ安定とすると共にケーブルの長手方向におけるコネクタの小型化を実現するＬ型同軸コネクタを提供する。【解決手段】環状空間２とケーブル収容部は連通し、該環状空間２にケーブルＣが露出していて、該環状空間２に相手コネクタ７０の筒状部７３Ａの先端がケーブル収容部付近まで挿入可能となっており、絶縁体２０は中空部縁部から上方に延びる立壁同士間に該中蓋部２３の少なくとも一部が収まっており、端子１０は上記絶縁体２０の上記本体部２１の中空部縁部上面に配され、結線部から接触部１３が下方に垂下して設けられている。【選択図】図２
2006318936.tif 000002
【特許請求の範囲】
【請求項１】
同軸ケーブルの中心導体が結線される結線部と相手コネクタの対応接触部と接触接続される接触部を有する端子と、該端子を包囲するようにして支持する絶縁体と、該絶縁体を収める外部導体とを備え、上記端子は、結線部におけるケーブルの延出方向と相手コネクタへの挿着方向とがほぼ直角をなし、絶縁体は、端子の接続部を収める中空部が形成された本体部と、該本体部の上面との間にケーブル収容部を形成すると共に該本体部の上面に配される端子の結線部を押圧する中蓋部とを有し、外部導体は、絶縁体の本体部を収容する筒状部と、上記中蓋部に押圧力を与える外蓋部とを有し、該筒状部と該絶縁体の本体部との間に相手のコネクタの外部導体を受け入れ接触接続するための筒状の環状空間を形成しているＬ型同軸コネクタにおいて、該環状空間とケーブル収容部は連通し、該環状空間にケーブルが露出していて、該環状空間に相手コネクタの外部導体の先端がケーブル収容部付近まで挿入可能となっており、絶縁体は中空部縁部から上方に延びる立壁同士間に中蓋部の少なくとも一部が収まっており、端子は上記絶縁体の上記本体部の中空部縁部上面に配され、結線部から接触部が下方に垂下して設けられていることを特徴とするＬ型同軸コネクタ。
【請求項２】
絶縁体は、本体部から半径外方に延出せるケーブル支持のための支持面が形成された肩部を有していることとする請求項１に記載のＬ型同軸コネクタ。
【請求項３】
絶縁体の本体部の上面が肩部の支持面よりも下方に没して位置していることとする請求項２に記載のＬ型同軸コネクタ。
【請求項４】
絶縁体は、本体部と肩部との間に、ケーブルの変形を許容する隙間が形成されていることとする請求項２又は請求項３に記載のＬ型同軸コネクタ。
【請求項５】
端子は、ケーブルの軸線を含む面での結線部の断面が略Ｕ字状をなして、ケーブルの中心導体の半田結線のための平坦部を有し、該平坦部の上記軸線方向両端にて垂立して壁部が形成され、一方の壁部に中心導体の挿入のためのスリット状の溝部が形成され、他方の壁部が中心導体の先端に対向して位置していることとする請求項１に記載のＬ型同軸コネクタ。
【発明の詳細な説明】
【技術分野】
【０００１】
本発明はＬ型同軸コネクタに関する。
【背景技術】
【０００２】
この種のコネクタとしては、添付図面の図３のごとくのものが知られている。図３に示されるコネクタ５０において、同軸ケーブルＣは外皮Ｃ１内に、シールド線Ｃ２、誘電体Ｃ３そして中心導体Ｃ４を順に有している。この中心導体Ｃ４は端子５１に半田接続される。端子５１は、金属片を屈曲して形成されていて結線部５２と接触部５３とを有している。結線部５２は一端寄りに山部５２Ａそして他端寄りに立上り壁部５２Ｂを有し、該立上り壁部５２Ｂにスリット５２Ｃが形成されており、該スリット５２Ｃにて中心導体Ｃ４を所定位置に収めている。その際、立上り壁部５２Ｂは中心導体Ｃ４の先端の位置決めを行なう。上記山部５２Ａと立上り壁部５２Ｂは、それらの中間で中心導体Ｃ４を結線部５２に半田付けする際に、両端側への半田の流れを防止する機能をも有している。また、上記接触部５３は、上記山部５２Ａの位置から紙面に直角な方向で間隔をもつ二位置で紙面に平行な面をもつ舌片状をなしており、上記結線部５２とは一体に形成されている。
【０００３】
かかる端子５１は絶縁体５４により保持される。この絶縁体は、円筒状の本体部５５と中蓋部５６とを有している。本体部５５は中央に中空孔部５５Ａが形成され、上面５５Ｂが平坦をなしており、上記端子５１の接触部５３が上記中空孔部５５Ａに収められて上面５５Ｂ上に結線部５２が載置されている。該本体部５５の上面位置からは半径外方の一方に延出して肩部５７が設けられており、ケーブルＣの誘電体Ｃ３の部分を支えている。又、本体部５５の上面位置から、上記肩部５７とは半径外方の反対側の周部にて中蓋部５６が延出しているが、該中蓋部５６は下述する外部導体の外蓋部と共に折曲されて、図３のごとく端子５２を覆っており、その先端部が肩部５７と平行に位置している。
【０００４】
金属板で作られた外部導体５８は筒状部５９と外蓋部６０とを有している。筒状部５９は上記絶縁体５４の本体部５５を収容すると共に、両者の間に筒状の環状空間６１を形成する。外蓋部６０は、上記絶縁体の中蓋部５６と同方向に、筒状部５９から延出しているが、図３のごとくこの中蓋部５６を押すように折曲されている。外蓋部６０はその先端部はケーブルＣを包囲するように丸められ該ケーブルを保持している。
【０００５】
一方、相手コネクタ７０は、端子７１、絶縁体７２そして外部導体７３を有している。端子７１は部分的に絞り加工を受けて軸状に突出形成された接触部７１Ａと、底部から板状に延出する接続部７１Ｂとを有している。外部導体７３は筒状部７３Ａを有している。
【０００６】
かくして、上記コネクタ５０はその環状空間６１に相手コネクタ７０の筒状部７３Ａを受け入れながら筒状部５９と結合され、同時に互の端子５３と７１とが嵌合する。
【特許文献１】発見できず
【発明の開示】
【発明が解決しようとする課題】
【０００７】
このような図３のコネクタにあっては、端子５１はその山部５２Ａで絶縁体の中蓋部５６により圧せられて保持される。しかし、山部５２Ａは頂部が丸味をもち、しかも一箇所でしかない。したがって、中蓋部５６による保持力は十分でなく、又、安定せず、端子５１に半田結線されたケーブルを経て外力が作用すると、半田部分に大きな力を受け半田不良につながる。さらに、上述のように中心導体Ｃ４の先端は、立上り壁部５２Ｂにより位置決めされるので、結線部５２を本体部５５の半径方向で接触部５３の位置にまでもたらすことができない。このことは、ケーブルＣの長手方向におけるコネクタの小型化の妨げとなる。
【０００８】
本発明は、かかる事情に鑑み、端子でのケーブルの半田を堅固かつ安定とすると共にケーブルの長手方向におけるコネクタの小型化を実現するＬ型同軸コネクタを提供することを目的とする。
【課題を解決するための手段】
【０００９】
本発明に係るＬ型同軸コネクタは、同軸ケーブルの中心導体が結線される結線部と相手コネクタの対応接触部と接触接続される接触部を有する端子と、該端子を包囲するようにして支持する絶縁体と、該絶縁体を収める外部導体とを備え、上記端子は、結線部におけるケーブルの延出方向と相手コネクタへの挿着方向とがほぼ直角をなし、絶縁体は、端子の接触部を収める中空部が形成された本体部と、該本体部の上面との間にケーブル収容部を形成すると共に該本体部の上面に配される端子の結線部を押圧する中蓋部とを有し、外部導体は、絶縁体の本体部を収容する筒状部と、上記中蓋部に押圧力を与える外蓋部とを有し、該筒状部と該絶縁体の本体部との間に相手のコネクタの外部導体を受け入れ接触接続するための筒状の環状空間を形成している。
【００１０】
かかるＬ型同軸コネクタにおいて、本発明では、該環状空間とケーブル収容部は連通し、該環状空間にケーブルが露出していて、該環状空間に相手コネクタの外部導体の先端がケーブル収容部付近まで挿入可能となっており、絶縁体は中空部縁部から上方に延びる立壁同士間に中蓋部の少なくとも一部が収まっており、端子は上記絶縁体の上記本体部の中空部縁部上面に配され、結線部から接触部が下方に垂下して設けられていることを特徴としている。
【００１１】
上記の構成の本発明のコネクタによれば、中蓋部が筒状部の直径円内に位置しているので、絶縁体の本体部の上面を低くすることにより、筒状部の高さに関わりなく、コネクタの高さが小さくなる。又、中蓋部が上記筒状部により阻止されずにケーブルの誘電体を圧縮することができ、その分上記高さをさらに小さくできる。さらに、上記の構成によれば、結線部はケーブル長手方向で接触部とほぼ同じ位置となるので、同方向におけるコネクタの小型化を図れる。
【００１２】
本発明では、絶縁体は、本体部から半径外方に延出せるケーブル支持のための支持面が形成された肩部を有しているようにすることができる。この場合、絶縁体の肩部と中蓋部とが異なる位置にあるので、ケーブルの可撓性そして弾性縮径性を利用して、該ケーブルを撓み変形そして加圧圧縮せしめて、両部の高さ範囲をケーブル径内に収めることができ、上記肩部を設けることがコネクタの低背化の障害とはならない。
【００１３】
上記の肩部を設ける場合には、絶縁体の本体部の上面が肩部の支持面よりも下方に没して位置していることがコネクタの低背化のために望ましい。その際、絶縁体の本体部と肩部との間に、ケーブルの変形を許容する隙間が形成されていることとするならば、上記のケーブルの撓みそして縮径が楽に行われる。
【００１４】
本発明において、端子は、ケーブルの軸線を含む面での結線部の断面が略Ｕ字状をなして、ケーブルの中心導体の半田結線のための平坦部を有し、該平坦部の上記軸線方向両端にて垂立して壁部が形成され、一方の壁部に中心導体の挿入のためのスリット状の溝部が形成され、他方の壁部が中心導体の先端に対向して位置するような形態とすることができる。かかる端子によると、端子の製作が容易となるとともに、半田時には両壁部によって他部への半田の流出を防止できる。
【発明の効果】
【００１５】
本発明は、以上のごとく、環状空間とケーブル収容部が連通して、該環状空間に該ケーブルが露出しているため、相手コネクタの外部導体の先端は、ケーブルの収容部付近まで挿入可能になり、安定した嵌合に最低限必要な外部導体の高さ（有効嵌合長）とケーブルの高さと外蓋部の高さの和が、コネクタの高さになるため、コネクタの高さ寸法を小さくできる。又、絶縁体の本体部に肩部を設ける場合でも、ケーブルの可撓性そして弾性縮径を利用して、肩部と中蓋部とを異なる位置でケーブルを圧縮保持することにより、両者をケーブルの径内に収められることとなり高さ寸法を小さくできる。また、本体部と肩部との間に隙間を形成した場合は、相手コネクタの外部導体の先端は、ケーブルの収容部付近まで挿入可能になり、これによりコネクタ高さ寸法を小さくできる。さらに、結線部を本体部半径方向で接触部の位置にまでもたらすこととしたので、ケーブルの長手方向でもコネクタの寸法を小さくできる。コネクタが大幅に小型化され、その結果、これを採用する電子機器の高密度実装が可能となる。
【発明を実施するための最良の形態】
【００１６】
以下、添付図面の図１及び図２にもとづき、本発明の実施の形態を説明する。
【００１７】
図１は、本実施形態のＬ型同軸コネクタの組立前の状態での各部材を分離して示す斜視図である。
【００１８】
図１にて、コネクタは端子１０、絶縁体２０そして外部導体３０を有している。
【００１９】
端子１０は、帯状金属材を加工して作られキャリア１１に対し定間隔位置で複数設けられている。各端子１０は、結線部１２と接触部１３とを有しており、結線部１２の平坦部１２ＡへケーブルＣの中心導体Ｃ４が半田結線された後に、切離部１４でキャリア１１から切り離されて独立したものとなる。上記端子１０の結線部１２は、両端部１２Ｂで上方に立設された壁部１５，１６を有し、上記接触部１３は該両壁部１５，１６間で側縁から舌片状をなして下方に垂下している。一方の壁部１５には上記中心導体Ｃ４を受け入れるための溝部１５Ａが形成されている。該壁部１５は上記溝部１５Ａを形成するとともに、その外側面はケーブルの誘電体Ｃ３の端面を当接させる機能も有している。他方の壁部１６は、キャリア１１と端子１０とを連結する部分１７に形成された窓部１７Ａの一端側から切り起こされた部分により形成されており、中心導体Ｃ４の先端と対面する。両接触部１３は下部が内側に湾曲していて喉部１３Ａを形成している。
【００２０】
絶縁体２０は、絶縁材料をモールド成形することにより作られていて、略円筒状の本体部２１と、該本体部２１の上部位置から半径外方の一方に延出する肩部２２と、肩部２２と半径外方で反対側に位置し上方に延出する中蓋部２３とを有している。
【００２１】
上記絶縁体２０の本体部２１には、上記端子１０の舌片状の接触部１３を収容する中空部２４が上下に貫通して形成され、その両端側の上面２５は上記端子１０の結線部１２を載置する面を形成している。上記本体部２１の上部周縁はフランジ部２６が形成され、上記中空部２４の両側位置に側壁部２７が立ち上がって設けられている。
【００２２】
上記肩部２２には、両側に案内壁２８が立設されているが、これは後述する中蓋部２３が屈曲せられるとき、その案内をするためのものである。かくして、側壁部２７と案内壁２８はそれらの内面で上記上面２５から立ち上がる立壁を形成する。又、本実施形態では、肩部２２と本体部２１の間に隙間２２Ａが形成されている。上記上面２５よりも上方に突出する上記案内壁２８、側壁部２７そしてその他の本体部の部分は、すべて、上記上面２５上にケーブルの誘電体Ｃ３を配したときにそれよりも低い位置となっているように高さ寸法が定められている。
【００２３】
上記中蓋部２３は、後に上記上面２５と平行となるように屈曲されるが、その際、該中蓋部２３は、上方から見たときに、上記上面２５の範囲に収まり、側方から見たときに、誘電体Ｃ３を圧縮して該中蓋部の少なくとも一部が上記立壁の高さの範囲に収まるような寸法となっている。
【００２４】
外部導体３０は、金属板を加工して作られており、筒状部３１と外蓋部３２とを有している。
【００２５】
筒状部３１は、上記絶縁体２０の本体部２１を同心位置に収容し、該本体部２１との間に相手コネクタの筒状の外部導体を受け入れる環状空間２を形成するような径となっている。該筒状部３１には、側方に延出して絶縁体２０の肩部２２（及びその案内壁２８）を側方から囲む囲繞部３３が設けられている。外蓋部３２は、くびれた基部３２Ａで、後に筒状部３１の方向へ屈曲されるが、その際、筒状部３１の範囲を覆う平蓋部３２Ｄとその範囲外にあってケーブルＣの外皮Ｃ１部分そしてシールド線Ｃ２部分を把持するように塑性変形される把持部３２Ｃ，３２Ｂをそれぞれ有している。又、該把持部３２Ｃ，３２Ｂと平蓋部３２Ｄとの間には、上記肩部２２の下側に回り込むように、溝部３２Ｆで折り曲げられ該肩部２２を支持・補強する突出片３２Ｅが設けられている。
【００２６】
環状空間２とケーブル収容部は連通して、該環状空間２に該ケーブルの誘電体Ｃ３が露出しているため、相手コネクタの外部導体の先端は、ケーブルの収容部付近まで挿入可能になり、安定した嵌合に最低限必要な外部導体の高さ（有効嵌合長）と誘電体Ｃ３の高さと外蓋部３２の高さの和が、コネクタの高さになる。なお、該環状空間２は有効嵌合長より長くなければならない。
【００２７】
かかる構成の本実施形態のコネクタは次の要領で組み立てられ使用される。
【００２８】
（１）図１に示されるごとくのケーブルＣの中心導体Ｃ４を端子１０の溝部１５Ａへ収めて結線部１２の平坦部１２Ａ上に配し、ここで半田結線する。その際、半田は両端の壁部１５，１６によりここから流れて接触部１３の内側に付着することはない。
【００２９】
（２）次に、この端子１０及びこれに結線されたケーブルＣを絶縁体２０上に配置する。その際、端子１０の接触部１３は絶縁体２０の中空部２４へ収容され、結線部１２の両端部１２Ｂは絶縁体２０の上面２５にて支えられ、該ケーブルＣの誘電体Ｃ３の部分が絶縁体２０の肩部２２にて支えられる。
【００３０】
（３）しかる後に、図２に見られるごとく、外部導体３０の外蓋部３２をその基部３２Ａでほぼ直角に屈曲させ、この外蓋部３２で絶縁体２０の中蓋部２３を圧してこれも同様に屈曲させる。そして、外部導体３０の把持部３２Ｂ，３２Ｃを筒状に湾曲変形させてケーブルのシールド線Ｃ２そして外皮Ｃ１の部分をそれぞれ把持せしめる。こうすることにより、絶縁体２０の中蓋部２３と肩部２２は、図２に見られるようにケーブルＣの長手方向で異なる範囲に位置しているので、誘電体Ｃ３の部分を上下から圧し撓み変形させるとともに圧縮変形させる。その結果、半径方向にて外部導体３０の筒状部３１の範囲でのケーブルの誘電体Ｃ３と絶縁体２０の中蓋部２３との高さ寸法の合計が、肩部２２と該肩部２２上の誘電体Ｃ３との高さ寸法の合計と、高さ方向において同位置で同寸法となる。すなわち、図３の従来のものに比し、高さ寸法は、中蓋部の厚さ（図２にて高さ）寸法だけ小さくなる。又、上記ケーブルの変形時において、絶縁体２０には、本体部２１と肩部２２との間に隙間２２Ａが形成されているので、ケーブルの一部がここに逃げ込んで変形しやすくなる。さらには、上記中蓋部２３は、図２でも明らかなように、端子１０の二箇所壁部１５，１６をそれらの上端で圧して支持する。
【００３１】
（４）このようにして組み立てられたコネクタ１は、図２のごとく、相手コネクタ７０と結合される。なお、この相手コネクタ７０は図３の従来と同じであり、各部に同一符号を付すことによりその説明を省略する。
【図面の簡単な説明】
【００３２】
【図１】本発明の一実施形態のコネクタの各部材を組立前の分離状態で示す斜視図で    ある。
【図２】図１のコネクタの組立後の断面図である。
【図３】従来のコネクタの断面図である。
【符号の説明】
【００３３】
１０    端子                  ２２    肩部
１２    結線部                ２２Ａ  隙間
１２Ａ  平坦部                ２３    中蓋部
１３    接触部                ２５    上面
１５，１６  壁部              ３０    外部導体
１５Ａ  溝部                  ３１    筒状部
２０    絶縁体                ３２    外蓋部
２１    本体部
【図１】
2006318936.tif 000003
【図２】
2006318936.tif 000004
【図３】
2006318936.tif 000005